(57)【要約】本発明は、圧力下で食品を調理するための機器に関する。機器は筐体を形成するように配置されており、筐体は貫通孔と、設定可能な圧力調節バルブと、バルブの設定を調整するための設定調節手段（２５）とを有する。設定調節手段（２５）は、２つの位置の間を移動可能である。機器は、筐体の減圧を制御するための減圧制御部材を含み、設定可能な圧力調節バルブを移動させることにより、貫通孔（１７）を開け、設定調節部材（３２）は、設定調節手段（２５）を移動させて所定のレベルの値を変更する。
2009533116.tif 000002
【特許請求の範囲】
【請求項１】
圧力下で食品を調理するための機器（１）であって、前記機器（１）は筐体を形成するように構成されており、
前記筐体は、
前記筐体の内部を前記筐体の外部と連通させるための貫通孔（１７）と、
前記貫通孔（１７）と協働して前記筐体内の圧力を所定のレベルに保持する設定可能な圧力調節バルブ（１８）と、
前記設定可能圧力調節バルブ（１８）の設定を調節するための設定調節手段（２５）とを有し、
前記設定調節手段（２５）は、前記所定のレベルのための２つの特定値に各々が対応する少なくとも２つの位置の間を移動可能であり、
当該機器（１）は、
前記筐体の減圧を制御するための減圧制御部材（２７）を含み、前記減圧制御部材（２７）は、前記設定可能な圧力調節バルブ（１８）を移動させることができることにより、前記筐体の内部を前記筐体の外部と連通するように前記貫通孔（１７）を開けるものであり、
前記設定可能な圧力調節バルブ（１８）とは独立して前記設定調節手段（２５）を移動させることができることにより、前記所定のレベルの値を変更する設定調節部材（３２）を含む、ことを特徴とする機器。
【請求項２】
請求項１に記載の機器（１）において、
前記設定調節手段（２５）は、設定調節部材（３２）とは異なるものである、ことを特徴とする機器。
【請求項３】
請求項１又は２に記載の機器（１）において、
前記減圧制御部材（２７）は、前記設定調節部材（３２）とは異なるものである、ことを特徴とする機器。
【請求項４】
請求項１〜３のうちのいずれか１項に記載の機器（１）において、
前記設定調節手段（２５）は、前記筐体に対してスライドするように搭載されている、ことを特徴とする機器。
【請求項５】
請求項１〜４のうちのいずれか１項に記載の機器（１）において、
前記減圧制御部材（２７）は、移動可能であり、且つ、前記圧力調節バルブ（１８）を駆動するように構成されている、ことを特徴とする機器。
【請求項６】
請求項１〜５のうちのいずれか１項に記載の機器（１）において、
前記圧力調節バルブ（１８）は、第１に、圧力設定の効果の下で前記貫通孔（１７）を閉じるための頭部（１９）と、第２に、開放されている尾部（２０）との間に延伸しており、
前記減圧調節部材（２７）は、前記貫通孔（１７）を開けるために前記圧力設定を克服すると共に前記貫通孔（１７）から前記頭部（１９）を遠ざけるのに十分な駆動力を前記尾部（２０）に対して働かせることができるものである、ことを特徴とする機器。
【請求項７】
請求項６に記載の機器（１）において、
前記尾部（２０）は、前記貫通孔（１７）を開けるために前記圧力設定を克服すると共に前記貫通孔（１７）から前記頭部（１９）を遠ざけるのに十分な前記駆動力を形成する推進力が、前記減圧制御部材（２７）によって与えられる、力伝達手段（２０Ａ）を備えている、ことを特徴とする機器。
【請求項８】
請求項７に記載の機器（１）において、
前記圧力調節バルブ（１８）は、前記尾部（２０）と前記頭部（１９）との間に軸方向に延伸する軸（２１）を備えており、
前記軸（２１）は、前記力伝達手段（２０Ａ）を構成する肩部を呈している、ことを特徴とする機器。
【請求項９】
請求項６〜８のうちのいずれか１項に記載の機器（１）において、
前記減圧制御部材（２７）は、第１回転部（２８）を備えており、
前記第１回転部（２８）は、前記第１回転部（２８）が回転している間、前記圧力調節バルブ（１８）を実効させるための第１傾斜路（２９）を備えている、ことを特徴とする機器。
【請求項１０】
請求項１〜９のうちのいずれか１項に記載の機器（１）において、
前記圧力調節バルブ（１８）は、前記圧力調節手段（２５）を構成するスライド可能な支持台（２６）に耐力を与える弾力性部材（２３）の力で設定されており、
前記設定調節部材（３２）は、前記耐力とは反対で且つ前記支持台（２６）をスライドさせるのに十分な推進力を前記支持台（２６）に与え、それにより、前記圧力設定を調節する、ことを特徴とする機器。
【請求項１１】
請求項１０に記載の機器（１）において、
前記設定調節部材（３２）は、第２回転部（２８）を含み、
前記第２回転部（２８）は、前記第２回転部（２８）が回転している間、前記推進力を前記支持台（２６）に前記推進力を働かせるための第２傾斜路（３３）を備えている、ことを特徴とする機器。
【請求項１２】
請求項９又は１１に記載の機器（１）において、
前記第１回転部（２８）及び前記第２回転部（２８）は共に、単一の回転制御部（２８）によって構成されており、
前記回転制御部（２８）は、前記力伝達手段（２０Ａ）を支持するための第１面（２８Ａ）と、前記支持台（２６）を支持するための前記第１面（２８Ａ）とは反対側の第２面（２８Ｂ）とを呈している一方で、前記第２傾斜路（３３）は、前記第２面（２８Ｂ）から突き出している、ことを特徴とする機器。
【請求項１３】
請求項１〜１２のうちのいずれか１項に記載の機器（１）において、
前記減圧制御部材（２７）が、前記貫通孔（１７）を開けるように前記圧力調節バルブ（１８）を移動させるとき、前記設定調節部材（３２）が、減圧が実質的に一定の設定にて生じるように前記設定調節手段（２５）を実質的に静止状態に保持するように、前記減圧制御部材（２７）は、前記設定調節部材（３２）に機能的に接続されている、ことを特徴とする機器。
【請求項１４】
請求項１２又は１３に記載の機器（１）において、
前記第２面（２８Ｂ）は、前記回転制御部（２８）が回転している間、前記支持台（２６）を静止状態に保持するように、前記第１傾斜路（２９）に一致する実質的な平面である、ことを特徴とする機器。
【請求項１５】
請求項１〜１４のうちのいずれか１項に記載の機器（１）において、
当該機器（１）は、家庭用圧力調理器を構成するものである、ことを特徴とする機器。
【発明の詳細な説明】
【技術分野】
【０００１】
本発明は、食品調理用器具の一般的な技術に関し、特には、加圧蒸気によって食品が調理される内側で漏れのない筐体を構成するように設計された家庭用圧力調理器具の分野に関する。
【０００２】
本発明は、加圧下での食品の調理用器具、より特には、筐体の内側と外部とを連通する貫通孔と、筐体の内部に存在する圧力を所定のレベルに維持するために貫通孔と協働する調整可能な圧力調整バルブと、調節可能なバルブを調整するための調節手段とを含む調理用筐体が構成されるように調整された調理用器具に関する。そして、調節手段は上記所定のレベルのための２つの特定値にそれぞれ対応する少なくとも２つの位置の間を移動可能に構成されている。
【背景技術】
【０００３】
圧力調理器具、特に家庭用のものは、例えば圧力調理器といった類でよく知られている。これらの器具は、通常、容器と、内部に調理用食品が配置される密閉された筐体を形成するために容器を密閉するように設計された蓋とを備えている。
【０００４】
筐体はこのため、容器が熱源に曝されると高温高圧に到達する。
【０００５】
これらのよく知られた容器はまた、軸方向にスライド可能な圧力調整バルブを備えている。圧力調整バルブは蓋を貫通して形成された漏出孔と協働して、筐体の内側に存在する圧力に応じて該漏出孔を開閉する。これにより、一般に「動作圧力」と呼ばれる所定のレベルに圧力を維持している。
【０００６】
調理サイクルを最適化する目的で、ある知られた器具は、設定可能な圧力調節バルブと、この圧力調節バルブの設定を調節するための手段とを備えている。この設定調節手段は、あらかじめ設定された圧力レベル用の特定の各値に相当する指標付の複数の位置の間を移動することができる。これらの特定の値の各々はこのため、特定の動作圧力に対応している。例えば、その特定の動作圧力は、食品の特定のタイプ（例えば野菜や肉）、及び／または、その食品の特定の状態（例えば冷凍食品）に適用している。これらの知られた器具はまた、設定調節部材を備えている。設定調節部材は、設定調節手段を指標付の複数の位置間を動作させることにより、動作圧力の選択を可能としている。
【０００７】
より特には、これらのよく知られた器具における圧力調整バルブは、搭載されたらせん状のバネの力によって設定されており、最初に設定調節手段を構成するスライド可能なキャップと次に設定調節バルブとの間の移動を可能としている。その結果、バルブ（バルブの設定レベルに対応する）上のバネによる耐力がキャップ位置へ作用する。該キャップは、その位置に応じて多かれ少なかれそのバネを圧縮する。
【０００８】
設定調節部材は、ユーザの手動によって回転され得る回転式セレクターによって支えられた傾斜路（ｒａｍｐ）によりなる。傾斜路は、それから、セレクターの角度位置に応じて多かれ少なかれ移動可能なキャップを圧縮する。これにより、バネを多かれ少なかれ圧縮し、それにより、設定と動作圧力の調整とを可能としている。
【０００９】
さらに、ユーザが蓋を開けることができるように、容器を減圧することによって開始する必要がある。なぜなら、動作圧力の高レベルは安全な開きに一致していないからである。つまり、蓋が圧力の効果の下で突然吹き飛ぶ危険性があるからである。
【００１０】
上述した従来の調理器の減圧を実現する目的で、ユーザは回転式セレクターを減圧のための指標付きの角度位置に配置する。その角度位置では、最小限レベルにバルブを設定するのに十分な耐力を傾斜路がキャップに及ぼす。それにより、筐体の内側に存在する圧力は、安全に開いている蓋と対応する低いレベルに到達する。
【発明の開示】
【発明が解決しようとする課題】
【００１１】
これらのよく知られた機器は一般的にユーザに十分な満足を与えているが、これらの機器はそれでも一定の欠点を呈している。
【００１２】
これらのよく知られた機器のユーザは、圧縮ガスの流れが漸進的であることから守ることを効果的に制御できる位置にいない。セレクターが減圧のための指標付きの位置にあるとき、漏出孔は設定可能バルブが自動的に閉じる行為に曝されたままである。
【００１３】
その技術的な対策は、大量の蒸気漏出部を突然に且つ制御不可能に開かせ得る。その結果、この分野においてよく知られた食品における「泡」現象（「泡」現象は、当業者によって「エマルジョン」と時々呼ばれることもある。）の出現によって食料及び／又は水を容器から噴出させる。
【００１４】
加えて、減圧は、圧力調節バルブに設定された最小限の圧力レベルに単に減少させることによって実現されるので、減圧は完了し得ない。設定調節バルブは、筐体の内側にある圧力が上記最低限の設定レベル（このレベルは大気圧よりも大きい）に相当するレベルに一旦到達すると、漏出孔を完全に閉じてしまう。蓋を開ける前における筐体の完全な減圧がそのような本当の意味で不可能であるということは、蓋を開ける際に、残留する水蒸気の一吹きにユーザを曝し得る。それは危険ではないが、不快なものである。
【００１５】
本発明の目的は、上述した従来の技術の種々の欠点を治癒する、圧力下で食品を調理するための斬新な機器を提供することである。一方で、特に信頼でき、単純で、安価な構成であって、且つ、完全で、早く、制御された減圧を実現すると共に異なる動作圧力レベルを選択できる構成の機器を提供することである。
【００１６】
本発明の別の目的は、特に利便性のある、圧力下で食品を調理するための機器を提供することである。
【００１７】
本発明の別の目的は、特に丈夫な構成の、圧力下で食品を調理するための機器を提供することである。
【００１８】
本発明の別の目的は、特にシンプルな設計の、圧力下で食品を調理するための機器を提供することである。
【００１９】
本発明の別の目的は、減圧を素晴らしく制御できる、圧力下で食品を調理するための機器を提供することである。
【００２０】
本発明の別の目的は、特にコンパクトで、安価で、安全な、圧力下で食品を調理するための機器を提供することである。
【課題を解決するための手段】
【００２１】
本発明の上記の目的は、圧力下で食品を調理するための機器によって実現され、機器は筐体を形成するように構成されており、筐体は、筐体の内部を筐体の外部と連通させるための貫通孔と、貫通孔と協働して筐体内の圧力を所定のレベルに保持する設定可能な圧力調節バルブと、設定可能な圧力調節バルブの設定を調節するための設定調節手段とを有し、設定調節手段は、所定のレベルのための２つの特定値に各々が対応する少なくとも２つの位置の間を移動可能であり、当該機器は、筐体の減圧を制御するための減圧制御部材を含み、減圧制御部材は、設定可能な圧力調節バルブを移動させることができることにより、筐体の内部を筐体の外部と連通するように貫通孔を開けるものであり、設定可能な圧力調節バルブとは独立して設定調節手段を移動させることができることにより、所定のレベルの値を変更する設定調節部材を含む。
【００２２】
なお、本発明の他の特徴と効果は、限定しない参照図面と参照符号を用いた下記の説明を読む際により詳細が分かるであろう。
【発明を実施するための最良の形態】
【００２３】
蒸気圧下で食品を調理するための本発明による機器１は、蒸気圧下で種々の食品を調理するために設計されており、好ましくは家庭用の調理器である。
【００２４】
好ましくは、本発明による機器１は、家庭用圧力調理器によって構成されている。説明を単純化するために、以下では、添付の図面を参照するとき、参照符号は、家庭用調理器によって構成された機器１に対して排他的に付されているが、本発明はまた、プロ又はセミプロの機器にも選択的に適用できるものと理解される。
【００２５】
通常、本発明の機器１は調理用筐体を形成するように構成されており、該調理用筐体は好ましくは実質的に漏れなく、且つ、外部の電気抵抗素子（例えば、ホットプレート）であるか内部の電気抵抗素子（例えば、オンボードの電気抵抗素子）であるか否かにかかわらず熱源の活動に曝されるように設計されている。
【００２６】
有利には、本発明の調理用機器１は、調理受容器を構成し、好ましくはＸ−Ｘ’軸（例えば図１，４，５）に関して実質的な回転体である形状を呈する容器２を備えている。以下では、形容詞「軸の」は、Ｘ−Ｘ’の対称軸の方向に言及するために使用される。その方向は、機器が通常動作を行っているときに実質的に垂直方向である。当然に、容器２の形状は、本発明の範囲を超えない範囲で、回転体である必要はない（例えば楕円形になり得る）。容器２は、通常はステンレススチール又はアルミニウムからなり、好ましくは、例えば加熱成形により、容器に固定された熱伝導性の底部２Ａを備えている。
【００２７】
容器２はまた、例えば一つ又は複数のハンドル２Ｂ、２Ｃによって構成されたグリップ部材を含んでいてもよい。これらのハンドルは、好ましい個数は２つであって、直径方向に互いに対抗する位置に容器２に固定されている。
【００２８】
本発明の機器１はまた、有利には、パッキング３０を介して容器２と協働して調理用筐体を構成するように、容器２にはめ込まれ且つロックされるように設計された蓋３を備えている。容器２と蓋３とは、それらが形成する筐体が十分に密閉されて容器の内側の圧力が上昇するように設計されている。
【００２９】
蓋３は、容器２に対して好ましくは補完的な形状であり、例えば、実質的にはディスク形状であり、蓋３は、第１に、該蓋３が容器２に閉じられたときに容器２に対抗するための内側面３Ａと、第２に、内側面３Ａとは反対側の外側面３Ｂとを備えている。外側面３Ｂは、容器２と蓋３とで調理用筐体を構成するとき、容器２の外側を向くように設計されている。蓋３は、開閉手段４により、容器２に対して開いたり閉じたりし得る。これらの手段は、当業者によく知られたいかなる手段であってもよく、例えば、これらはあごシステムによって構成されてもよいし（各図に種々示されたものに対応している）、セグメントシステム、バイオネットシステム、又はクランプシステムによって実際に構成されていてもよく、これらのリストはいかなる場合も限定されないものである。
【００３０】
純粋に選択的な意味において、しかし好ましくは、各図に示されるように、機器１は、蓋３上にはめ込む制御モジュール５を備えており、該モジュール５は、蓋３に設けられたホール７と協働すると共に、上部に接してネジ締めされるように設計された止めナット８と協働するネジ軸６により、好ましくは取り外し可能である。各図の種々の形態において、モジュール５は、一連の機能的で安全な部材を備えている。例えば、各々が開閉手段４の開閉を制御する２つのコントロールボタン９、１０、取り外し可能タイマー１１、過剰圧力に対する安全バルブ１２、及び、スライドフィンガー１３を備えている。スライドフィンガー１３は、最初に、蓋が不適切に閉じられた際に機器の圧力が上昇しないように機能し、第２に、機器の内部の圧力がユーザの安全に適合していない限り蓋が開かないように機能する。これらの制御及び安全部材は、そのようなものとしてよく知られており、それゆえ、ここではより詳細な説明はしない。
【００３１】
本発明によると、機器１は、筐体の外部と筐体の内部とを連通させる貫通孔１７を含む。貫通孔１７はこのため、蒸気の漏出流れを筐体の内部から外部へと構築する。「蒸気」という表現は、ここでは、広く解釈されるべきものであり、つまり、筐体内に存在し且つ食品及び調理液と共に共存するする気体又は擬似気体を指すものである。
【００３２】
好ましくは、各図に示すように、貫通孔１７は蓋３の厚さを貫通して形成された孔であり、例えば、Ｙ−Ｙ’対称軸に関して実質的に円形である形状を呈している。
【００３３】
各図に示された種々の形態の選択的なデザインでは、機器１はまた、筐体の内部から外部へ貫通孔１７を介して逃げ出る恐れのある水蒸気の漏出流れの通路として機能する導管１４を備えている。各図における種々の形態において、導管１４はこのため、貫通孔１７から伸びてモジュール５の内部へと続き、機器１の外部に到達している。例えば、好ましくは、モジュール５は、蓋３の上面３Ｂを圧迫する底部５Ａを備えている。チャンバー１５は底部５Ａ内に形成されており、該チャンバー１６はその側面を環状のパッキング１５Ａによって区画されている。環状のパッキング１５Ａは、底部５Ａから延伸すると共にチャンバー１５によって区画された内部の体積を囲んでいる。チャンバー１５は、排気管１６に通じている。
【００３４】
モジュール５が、蓋３にはめ込まれ且つ固定されているとき、環状のパッキング１５Ａは、蓋３を貫通して形成された貫通孔１７を囲むように、蓋３の上面３Ｂを漏れのなく支持している。このため、モジュール５が、蓋３上に配置されたとき、チャンバー１５は、第１に、貫通孔１７を介して筐体の内部に漏れなく通じており、第２に、排気管１６を介して機器１の外側に通じている。チャンバー１５は、貫通孔１７と排気管１６との間に位置している。導管１４は、本特定の実施形態において、貫通孔１７、チャンバー１５、及び排気管１６を並列して配置すると共に互いに連通させるように形作られている。
【００３５】
当然に、導管１４の存在は必ずしも必要ではなく、機器１は、該機器１の外側を直接に開口する単純な貫通孔１７を単に備えた構成であっても全く可能である。
【００３６】
本発明において、機器１は、設定可能な圧力調節バルブ１８を有し、該圧力調節バルブ１８は貫通孔１７と協働して筐体内の圧力を所定のレベルである動作圧力に保持する。より正確には、設定可能な圧力調節バルブ１８は、筐体内の圧力の効果の下で貫通孔１７を開閉することにより、筐体内の圧力を実質的に一定のレベルである上記所定のレベルに保持する。
【００３７】
設定可能な圧力調節バルブ１８はこのため、筐体内の圧力の効果の下で、次の位置の間を移動することができる。
【００３８】
・水蒸気漏出位置−筐体の内部に存在する瞬間的な圧力が所定のレベルよりも大きい場合に、圧力調節バルブ１８が貫通孔１７を開ける位置である。
【００３９】
・閉じ位置（図４、６、７に示されている）−筐体内に存在する瞬間的な圧力が所定のレベルよりも実質的に小さい場合に、機器１の内部の圧力を上昇させるために（又は制限されるために）、圧力調節バルブ１８が貫通孔１７を実質的に密閉するように閉じる位置である。
【００４０】
つまり、設定可能な圧力調節バルブ１８は、第１に、筐体の内部に存在する圧力が所定のレベルよりも小さいか等しい限り、筐体の内部から外部へ連通しないように、第２に、筐体の内部に存在する圧力が所定のレベルを超えるとすぐに、圧力の効果の下で、筐体の内部を外部と連通させるために自動的に動くように、設計されている。
【００４１】
有利には、設定可能な圧力調節バルブ１８は、第１に、その設定の効果の下で貫通孔１７を閉じるために設計された頭部１９と、第２に、開放された尾部２０との間に延伸している。好ましくは、バルブ１８は通常、Ｘ−Ｘ’軸と平行なＹ−Ｙ’軸に沿って延伸していると共に、第１に、頭部１９に対応する第１端と、その反対側の尾部２０に対応する第２端との間にそれらから少し距離を置いて位置するバルブ軸２１を備えている。つまり、バルブ１８は、有利には、尾部２０と頭部１９との間を軸方向に延伸している。
【００４２】
頭部１９は好ましくは、Ｙ−Ｙ’軸に実質的に垂直に延伸し、且つ、各図に示すように、有利には一般的に円盤形状である。有利には、バルブ１８は、頭部１９から上方に延伸すると共に頭部１９の周囲に位置する環状のパッキング１９Ａを含んでいる。該環状のパッキング１９Ａは、実質的に漏れのない状態で、調理用筐体を支持するように設計されている。つまり、具体的には、貫通孔１７を囲んで筐体の内部が外部と連通しないように、蓋３の外側面３Ｂを支持するように設計されている。なぜなら、貫通孔１７は、環状のパッキング１９Ａと頭部１９によって閉じられたチャンバー１５内へ開いているからである。
【００４３】
好ましくは、パッキング１９Ａは、頭部１９と一体的に形成されている。つまり、パッキング１９Ａと頭部１９とは一緒になって単一の上下続きの部分を構成している。特に好ましい形態では、尾部２０は軸２１の不可分な部分を構成していると共に軸２１と一体的に形成されている。一方で、頭部１９は軸２１にはめ込まれ且つ固定されるカバーを備えている。好ましくは、該カバーは、エラストマー材料、例えば、シリコンの類の材料よりなり、軸２１における対応する端部にかかる力によって係合するように設計されている。
【００４４】
有利には、設定可能な圧力調節バルブ１８は、調理用筐体に対してスライドするように搭載されている。特に好ましい形態では、バルブ１８は、各図に示す種々の形態にあるように、頭部１９と尾部２０との間に延伸する軸２１を備えている。軸２１は、独自のＹ−Ｙ’軸に沿って軸方向にスライド可能に搭載されている。
【００４５】
有利には、軸２１はモジュール５に形成されたガイド井戸２２内に取り付けられている。井戸２２は、モジュール５の底部５Ａ内に形成されたホールからモジュール５の内部へ延伸し、且つ、貫通孔１７を介してチャンバー１５へ広がるように設計された円筒形の側壁２２Ａを有している。該側壁２２Ａは、同軸上に形成されている。軸２１は井戸２２内にスライド可能に挿入されており、それにより平行移動するように導かれ、その結果、Ｙ−Ｙ’軸に沿って平行移動する。
【００４６】
上述した実施形態及び図面において、圧力調節バルブ１８はモジュール５上に搭載されている。
【００４７】
当然に、本発明の範囲を超えない範囲において、上記バルブ１８は、蓋３に直接搭載されることも完全に可能である。
【００４８】
上記の通りに、圧力調節バルブ１８は設定されている。つまり、圧力調節バルブ１８は、閉じた位置へ移動させる所定の調整された戻り力に曝され、閉じた位置では貫通孔１７は密閉して閉じられる。バルブ１８のためのそのような設定を実行することは、それ自体よく知られており、当業者によく知られた色んな手段によって実行され得る。
【００４９】
好ましくは、圧力調節バルブ１８は、弾力性部材２３の力によって設定されている。該弾力性部材２３は、戻り力をバルブ１８に与えてバルブ１８を閉じた位置に保持する（図４、６、７に示されている）。その位置は、筐体の内部を外部と連通させない位置である。好ましくは、弾力性部材２３は、軸２１に戻り推進力を与えるように、井戸２２の内部の軸２１と同軸上に搭載されている。この目的のために、軸２１は好ましくは、らせん状のバネ２４の第１端が当接し支持する第１の肩部２１Ａ（例えば図４、８）を有している。
【００５０】
本発明によると、機器１はさらに、設定レベルを変更する機能を有する設定可能バルブ１８の設定を調節するための手段２５を含んでいる。設定レベルとはつまり、圧力調節バルブ１８によって閉じた位置方向へ働く戻り力の大きさである。調節手段２５はこのため、少なくとも２つの位置（それぞれ図６及び７に示されている）の間を移動することができ、２つの位置はそれぞれ、所定の圧力レベルのための２つの特定値に対応している。すなわち、調節手段２５は、調理用筐体に対して上記手段２５が占める位置に基づいて、動作圧力がバルブ１８の設定の加減により修正されることを可能としている。各図に示す例では、調節手段２５は、所定の圧力レベルのための２つの値に対応する２つの安定的な位置の間を移動することができる。これらの２つの位置はさらに、ユーザによって直接に且つ容易に特定され得るように予め設定され且つ指標が付いた位置である。つまり、各図に示す例では、調節手段２５は、離散的性質を有している。なぜなら、調節手段２５は、２つの特定の動作圧力に対応する２つの安定的な位置のみを独占するからである。にもかかわらず、バルブ１８の設定の調節を永続的に可能とする調節手段を実行することは全く可能である。つまり、移動範囲の制限内において、多くの異なる設定に対応する無数の特定位置をバルブが占めることを可能とする。
【００５１】
好ましくは、各図に示すように、設定調節手段２５は、好ましくはＹ−Ｙ’軸に沿って、圧力筐体上をスライドするように搭載されている。好ましくは、設定調節手段２５は、いかなる回転部材を備えることなく、純粋に平行移動可能である。有利には、設定調節手段２５は、設定調節手段２５を適切に支持するスライド可能な支持台２６を備えており、この例では、弾力性部材２３によって構成されている。その結果、スライド可能な支持台２６をスライドさせることにより、スライド可能な支持台２６によって弾力性部材２３に対して働かせる耐力を変更することができる。つまり、バルブ１８は、バルブ１８の設定を調節するための手段２５を構成するスライド可能な支持台２６に対して働かせる耐力を弾力性部材２３の力によって設定され、その設定の調節には、有利には上記バルブ１８のいかなる動きを直接生じさせることはない。
【００５２】
各図における例では、スライド可能な支持台２６は好ましくは、スライド可能に井戸２２に挿入され且つバネ２４を覆うキャップによって構成されている。支持台２６の第１端はバルブ１８（より正確には軸２１の第１肩部２１Ａ）を支持する一方で、バネ２４における第１端とは反対側の第２端はキャップを支持するように、支持台２６は構成されている。キャップは井戸２２によってＹ−Ｙ’軸に沿って平行移動するように導かれる。特に好ましい形態では、らせん状のバネ２４は、第１の肩部２１Ａを支持するように軸２１に取り付けられている。一方で、キャップは、該キャップが同様に軸２１に取り付けられるように十分大きい断面であるが該キャップがバネ２４の第２端を支持する支持台を構成することを確保するように十分小さい断面を有するホールに貫通されている。キャップ２６をモジュール５の底部５Ａの方向にスライドさせることは、バネ２４を徐々に圧縮させ、それにより、バルブ１８の圧力設定を上昇させることになることは理解されるであろう。反対に、キャップ２６がモジュール５の底部５Ａから遠ざかるとき、バネ２４は開放されてバルブ１８の圧力設定を減少させる。キャップの動きの下で、バネを徐々に圧縮又は開放することは、静止状態にあるバルブ１８のいかなる動きを好ましくは生じさせるものではない。
【００５３】
本発明の機器１は、筐体の減圧を制御する制御部材２７を備え、該制御部材２７は、好ましくは徐々に貫通孔１７を開けることができるように設定可能な圧力調節バルブ１８を動かすことができる。それにより、制御部材２７は、筐体の内部を外部と連通させる。つまり、減圧制御部材２７は、機器１を減圧する目的、つまり、筐体内の圧力を機器１の外部の大気圧に実質的に等しい値に低下させる目的で、筐体内の圧力レベルにかかわらず、バルブ１８が貫通孔１７を開けることができるように構成されている。
【００５４】
このため、減圧制御部材２７は、設定可能な圧力調節バルブ１８を、好ましくは一定の値であり、所定の値であり、さらには安定的な値である減圧位置（図８に示されている）へ動かし、そしてその状態でバルブを保持するように機能する。このとき、バルブ１８は、筐体内が減圧するように蒸気の漏出流れを構築するために、実質的に永続的に（つまり、独立した設定である）、貫通孔１７を開ける上記位置に保持した状態である。
【００５５】
好ましくは、減圧制御部材２７は、筐体に対して移動可能であり、圧力調節バルブ１８を直接引きずるように構成されている。つまり、減圧制御部材２７は、該減圧制御部材２７が移動することにより、圧力調節バルブ１８に対して直接の運動力を生じさせる。好ましくは、減圧制御部材２７は、貫通孔１７を開かせ、蒸気の漏出流れを徐々に構築することができるように、圧力設定を克服し且つ頭部１９を貫通孔１７から遠ざけるために十分な漸進的な駆動力を、軸２１の尾部２０に対して働かせることができる。有利には、尾部２０は、この目的で、減圧制御手段２７が推進力を働かせることができる力伝達手段２０Ａを備えており、該推進力は圧力設定を克服するために十分な駆動力を形成する力である。制御部材２７による軸２１に与える該推進力はこのため、筐体の外側に向かって軸２１に軸方向のトラクションを与える。
【００５６】
好ましくは、軸２１は、各図に示されるように、力伝達手段２０Ａを構成する第２肩部を呈している。減圧制御部材２７はこのため、Ｙ−Ｙ’軸に沿った軸方向の推進力を働かせるように構成されており、これにより、頭部１８を貫通孔１７から遠ざけるように、バネ２４に戻り力に対してバルブ１８を井戸２２内へスライドさせる。その結果、筐体内に含まれる蒸気を貫通孔１７を介して排出させることができる。
【００５７】
好ましくは、そして特に図５に見られるように、減圧制御部材２７は、バルブ１８、より正確には尾部２０に、第２肩部を介して取り付けるための第１傾斜路２９を有する第１回転部２８を備えている。それにより、第１回転部２８が回転したときバルブ１８に対して駆動力を働かせることができる。
【００５８】
好ましくは、第１回転部２８は、モジュール５の底部５Ａからモジュール５の内側に突き出すシャフト３１の上に、Ｘ−Ｘ’軸に関して回転するように搭載されている。第１回転部２８は好ましくは、第１傾斜路２９が上記Ｘ−Ｘ’軸に対して実質的に平行に突き出すようにして、Ｘ−Ｘ’回転軸に対して実質的に垂直な平面内に延伸している。より正確には、第１回転部２８は、機器１の外部方向に向いている第１面２８Ａと、第１面２８Ａとは反対側の面であって蓋３の外側面３Ｂの方向に向いている第２面２８Ｂとを有している。第１面２８Ａは、頭部２０の下側に位置しており、より正確には、駆動手段２０Ａを構成する第２肩部の下側に位置している。
【００５９】
第１傾斜路２９は、第１面２８Ａから機器の外部に向かって突き出しており、好ましくは、第１面２８Ａの表面から突き出す漸進的な傾斜を構成している。このため、第１回転部２８がＸ−Ｘ’軸に関して回転するとき、バルブ１８を徐々に減圧位置に移動させるように、第１傾斜路２９は尾部２０の下側でスライドして尾部２０を徐々に上昇させる。この目的のために、第１傾斜路２９は好ましくは、第１面２８Ａから平面２９Ｂへ連続的に且つ漸進的に延伸している傾斜２９Ａを有している。平面２９Ｂは、軸２１、尾部２０内に形成された第２肩部のための安定した支持面を構成している。
【００６０】
尾部２０がこのため、第１傾斜路２９（図８に示すように）の平面２９Ｂ上にあるとき、バルブ１８は減圧位置において安定的に静止状態である。
【００６１】
機器１の機械的強度と信頼性を高める目的で、第１回転部２８は好ましくは、第１面２８Ａと第２面２８Ｂとの間のＸ−Ｘ’軸上に中心を持つ弓形部分を超えて延伸しているスロットを備えている。そのような状況下において、第１傾斜路２９は、スロットのいずれかの側面に延伸する２つの個別の傾斜路によって構成されている。該スロットは軸２１を受け、２つの個別の傾斜路は、Ｘ−Ｘ’軸に関して直径方向に対抗する側面に尾部２０を取り付けるために適している。それにより、部品の機械的安定性に貢献できる。
【００６２】
本発明によると、機器１はさらに、所定のレベル、つまり動作圧力の値を変更するために、圧力調節バルブ１８とは独立して設定可能な調節手段２５を移動させることができる設定調節部材３２を含んでいる。設定調節部材３２はこのため、圧力調節バルブ１８に働きかけることなく、設定調節部材２５の位置に影響を与えることができる。つまり、圧力調節部材３２は、圧力レベルのための所定の値を変更できるように、圧力調節手段２５を移動させることができるが、圧力調節バルブ１８を同時に移動させることはない。つまり、Ｙ−Ｙ’軸に沿った平行移動又はＹ−Ｙ’軸に関する回転移動であるかにかかわらず、いかなる同時に存在する駆動力を圧力調節バルブ１８に与えることはない。この技術的手段のおかげで、機械的な働きをバルブ８に与えることなく、バルブの設定を変更することができる。それにより、摩耗を制限でき、特に、第１に、パッキング１９Ａを備えた頭部１９と、第２に、蓋３の面３Ｂとの間の不要な摩耗を避けることができる。
【００６３】
有利には、相互的な意味において、減圧制御部材２７は、バルブ１８の設定を調整するために部材３２に働きかけることなく、バルブ１８に働きかけることができる。
【００６４】
有利には、減圧制御部材２７は、設定調節部材３２とは異なっている。つまり、好ましくは、減圧制御部材２７と設定調節部材３２とは、機能的に独立しており、減圧制御部材２７を移動させることは必ずしも設定調節手段３２を移動させるものではないし、その逆も同じである。にもかかわらず、減圧調整部材２７及び設定調節部材３２は、本発明の範囲を超えない範囲において、ひとつの部分によって完全に上手に実行され得るもので、以下に詳細に説明されている通りである。
【００６５】
有利には、設定調節部材３２は、スライド可能な支持台２６に対して弾力性部材２３によって働かせる耐力とは反対に、設定調節手段２５を構成するスライド可能な支持台２６に対して推進力を働かせることができる。この推進力は、支持台２６をスライドさせるのに十分な力であって、それにより、バルブ１８の設定を調節する。つまり、設定調節部材３２は、弾力性部材２６によって働く力を克服するために十分な力を設定調節手段２５に働かせることができる。それにより、調節手段２５に働く弾力性部材２３による戻り力に対抗しながら、設定調節手段２５を所定の位置に動かし、この所定の位置に設定調節手段２５を保持する。
【００６６】
各図に示す好ましい種々の形態において、設定調節手段２５は、設定調節部材２３とは異なっている。つまり、設定調節手段２５と設定調節部材３２とは、好ましくは、互いに異なって且つ独立した二つの各部分によって形成されている。にもかかわらず、設定調節手段２５と設定調節部材３２とが単一の部分を構成することも全く可能である。つまり、双方が単一の機能手段によって構成され、好ましくは単一の部分から構成されることも可能である。このような状況下において、調節部材３２は、例えば、減圧を調節するためのバネ２４上に直接働きかけてもよい。にもかかわらず、設定手段（ここではバネ２４によって構成されている）と設定調節部材３２との間の機械的インターフェイスを向上させる目的で、これらの間に異なっており且つ独立している設定調節手段２５を配置することが好ましい。
【００６７】
有利には、設定調節部材３２は、第２回転部を含んでいる。各図に示す例では、この第２回転部は、第１回転部２８と同じである。つまり、第１回転部２８と第２回転部とはともに単一の回転制御部２８によって構成されている。以下では、参照符号２８はそれゆえ、第１回転部を指すか、第２回転部を指すか、回転制御部を指すか、区別することなく用いられている。それにもかかわらず、本発明の範囲を超えない範囲で、第１及び第２回転部が区別され独立されていることも完全に可能である。
【００６８】
有利には、第２回転部２８は、設定調節手段２５を構成するスライド可能な支持台２６に取り付けられるように設計された第２傾斜路３３を備えている。それにより、第２回転部２８は、その回転中に、支持台２６をスライドさせるのに十分な推進力を働かせることができる。
【００６９】
第２傾斜路３３は、第２回転部２８の第２面２８Ｂから機器１の内側に向かって突き出しており、好ましくは、第２面２８Ｂの表面から突き出す漸進的な傾斜を形成している。第１面２８Ａの表面は好ましくは、第２傾斜路３３が位置している平面であり（つまり、一致している）、その結果、バルブは、圧力が設定されている間は同じ高さ（つまり、実質的に一定の高さ）に保持されたままである。このため、第２回転部２８がＸ−Ｘ’軸に関して回転するとき、第２傾斜路３３は、支持台２６を構成するキャップに対してスライドすると共に、バルブ１８の圧力設定を上昇させるようにそのキャップを徐々に押す。好ましくは、第２傾斜路３３は、この目的のために、第２面２８Ｂから平面３３Ｂにかけて突き出している連続的で漸進的な傾斜３３Ａを備えており、該平面３３Ｂは支持台２６を構成するキャップのための安定した支持面を構成している。キャップは有利には、圧力が設定されている間に同じ高さを保持するバルブの位置取りに対して直接働きかけるものではない。このため、バルブ自体に直接的に同時に働きかけることなくその設定の調節が可能である。
【００７０】
キャップがこのように第２傾斜路３３（図７に示すように）の平面３３Ｂに対して留まっているとき、バネ２４は所定の設定レベルに対応する構成において安定的に静止状態を保持する。
【００７１】
好ましくは、第２傾斜路３３はまた、スロットのいずれかの側面に延伸する２つの個別の傾斜路から構成されている。
【００７２】
要約すると、特に好ましい形態では、本発明は、力伝達手段２０Ａを支持する第１面２８Ａと、該第１面とは反対側であって且つ支持台２６を支持する第２面２８Ｂとを呈する回転制御部２８を利用している。第１傾斜路２９は第２面２８Ｂから突き出している一方で、第２傾斜路３３は第２面２８Ｂから突き出しており、その突き出しいる方向は第１の傾斜路２９が突き出しいる方向とは反対方向である。このため、好ましい形態では、制御部材２７の回転運動は、貫通孔１７からバルブ１８を持ち上げて、傾斜路２９を通過するようにして、減圧位置へ移動させるか、または、傾斜路３３を通過するようにして、設定位置である一定の高さにバルブを保持させる。
【００７３】
有利には、減圧制御部材２７は、機能的に設定調節部材２７と接続されている。その結果、減圧調節部材２７が貫通孔１７を開けるように設定可能な圧力調節バルブ１８を移動させる一方で、設定調節部材３２は、減圧が実質的に一定である設定で起きるように、設定調節手段２５を実質的に静止状態に保持する。この技術的手段は、減圧制御部材２７の働きの結果低減されるバルブ１８の圧力設定によって生じるであろう制御不能な圧力の低下を排除しながら、ユーザに対して、減圧の漸進的な性質の素晴らしい制御を提供するものである。
【００７４】
好ましくは、一定の設定で減圧機能を実現するためには、制御部２８の第２面は実質的に平面であり、その平面は第１傾斜路２９と一致しており、それにより、各図に示すように、回転制御部２８の回転中の位置において支持台２６の静止状態を保持するものである。
【００７５】
制御部２８は有利には、該制御部２８に形成されたスロットのサイズによって規定され且つ軸２１の通り道を提供する角度のついたストロークで回転してもよい。このスロットは、開口３４が大きくなるように拡大されており、例えば、尾部２０が通過するように第１傾斜路２９の平面２９Ｂに近づいて形成されている。当然に、一旦、モジュール５が完全に組み立てられると、支持台（図示せず）は尾部２０がアセンブリホール３４へ落下することを防止する。アセンブリホール３４とは反対側に、尾部２０のために形成された第１拡大部３５（例えば、スロットを局所的に拡大することによって形成される）が備えられており、該第１拡大部３５は第２傾斜路３３の平面３３Ｂと一致するように構成されている。
【００７６】
尾部２０が第１拡大部３５と一致して構成されているとき、それは第１設定レベル（図７に示す）に対応しており、該レベルでは、支持台２６が第２傾斜路３３によって働く減圧行為に曝される。第２拡大部３６は有利にはスロット内に、例えば中間に、第１拡大部３５と拡大ホール３４との間に形成されている。この第２拡大部３６は有利には、第２設定レベル（図６に示す）に対応しており、該レベルでは、各図に示す例において、支持台２６はもはや第２傾斜路３３の減圧行為に曝されていない。当然に、第２設定レベルは、支持台２６が第２傾斜路３３の行為に曝されている状態を保っている間に得られ、第２傾斜路３３はそのとき、傾斜形状のために、尾部２０が第１拡大部３５と一致しているときに働く力よりも小さい減圧力を支持台２６に与える。
【００７７】
制御部２８は好ましくは、Ｘ−Ｘ’軸に関してモジュール５に対して回転するように搭載された回転セレクター３７に固定されている。セレクター３７はハンドル３７Ａを備えており、該ハンドル３７Ａは、ユーザが、セレクター３７に密着して形成されたピン３７Ｂを、制御部２８に形成された対応するソケット３７Ｂ内に挿入することにより、拡大部を介して制御部２８を回転させることを可能とする。
【００７８】
セレクター３７はまた、インジケータつまみを備えている。この例では、ハンドル３７Ａと一致しているが、該インジケータつまみは、モジュール５に固定された光学マーカー３９、４０、４１と協働することにより、ユーザが、確認できるバルブ１８の位置をすぐに知ることを可能としている。
【００７９】
マーカー３９はこのため、第１の設定（このとき、尾部２０が第１拡大部３５と一致して配置されている）に対応している。マーカー４０は、第１の設定よりも低い第２の設定（このとき、尾部２０は第２拡大部３６と一致して配置されている）に対応している。一方で、マーカー４１は、減圧位置（このとき、尾部２０は第１傾斜路２９の平面２９Ｂを支持している）に対応している。
【００８０】
図１〜図８に示す形態における本発明の調理機器１の動作について、以下に説明する。
【００８１】
ユーザは最初に、ネジ軸６を蓋３に形成された対応するホールに取り付け、ネジ軸６にネジ締めされた保持ナット８の力によってモジュール５を締め付けることにより、モジュール５を蓋３に取り付ける。この構成において、環状のパッキング１５Ａは蓋３の外部面３Ｂを漏れないように支持している。これにより、貫通孔１７をチャンバー１５及び排気管１６に漏れのないように連通させる。
【００８２】
ユーザは、容器２に調理用の食品を挿入する。容器２内では調理用バスケット（図示せず）を用いる必要があり、それ自体は容器２内に配置される。その後、ユーザは、容器２の上に、制御モジュール５と共に蓋３をはめ込み、そして、あご部４の助け、つまり、ボタン９及び１０によって制御されるあご部４の急速な動きの力によって、容器１を固定させる。
【００８３】
回転セレクター３７を利用して、ユーザは、モジュール５上の絵文字によって表示された各々マーカー３９及び４０に対応する一方又は他方の利用できる指標付きの設定位置を選択する。例えば、ユーザは、セレクター３７を用いて部分２８を回転させることにより、尾部２０を第１拡大部３５に一致させる。それにより、傾斜路３３を介して支持台２８が押されるように働いて、その結果、バルブ１８には最大圧力が設定される（図７に示す構成）。
【００８４】
機器１はそれから下部のホットプレートからの熱に曝される。ホットプレートから放出される熱は、底部２Ａを介して、容器２上に蓋３を取り付けることによって形成された調理用筐体内に配置された食品に伝達する。この熱の伝達の効果の下で、筐体内の圧力は上昇する。この圧力が、バネによって働く圧力設定に対応している所定のレベルよりも大きくなるとすぐに、頭部１９及びパッキング１９Ａは蓋３の外側面３Ｂから離れ、それにより、蒸気を外部に逃がして、筐体内の圧力を自動的に調節することが可能となる。漏れ出る蒸気の流れは、最初に貫通孔１７を通じ、それから、最終的には排気管１６を介して逃げ出るようにチャンバー１５を通じる。
【００８５】
ユーザは、いつでも、第２拡大部３６に尾部２０を一致させるためのセレクター３７に働きかけることにより、バルブ１８に適用される設定レベルを変更することができる。そのような動作は、支持台２６が第２面２８Ｂを直接指示するようになるまで、傾斜路３３と支持台２６との間の相互作用を徐々に低減させる効果を有する。それにより、前に適用された最大圧力である第１レベルよりも低い第２の所定の設定レベルが得られるように、バネ２４を徐々に緩めることができる。この第２の設定レベルに対応する構成は、より特には図５及び図６に示されている。
【００８６】
調理サイクルの最終段階では、ユーザは、マーカー４１に対応する絵文字によって表示された指標付きの減圧位置にセレクター３７を動かすことにより、機器１を減圧することができる。第１傾斜路２９を介して働きかけることにより、バルブ１８に与える軸方向の力を導出する。この力は、バネ２４によって与えられる戻り力よりも大きく且つ反対である。一方で、支持台２６の軸位置は、第１傾斜路２９に一致している第２面２８Ｂの平面の性質のために、移動しないままの状態である。
【００８７】
設定レベルが一定で且つ第２の所定の設定レベルのままである間、この軸方向の力はバルブ１８を上昇させて、パッキング１９Ａを蓋３の外側面３Ｂとの接触から外し、これにより貫通孔１７を開けるのに十分である所定の高さにさせるように機能する。傾斜路２９の傾斜の漸進的な性質のために、ユーザはまた、貫通孔１７が開いている程度を制御でき、それにより、漏出流れの割合を徐々になじませると共に、いかなる危険な吹き出しを避けることができる。さらに、単一の制御部２８は減圧設定と圧力設定の双方を制御するために利用されるので、その利用において、動作圧力が選択されている間、不適切に機器１を減圧位置にさせることは確かに存在しない。
【００８８】
このため、最も有利な形態では、本発明は、ユーザに、特別に信頼でき且つ安価であって最小数の部分よりなる構成を利用している間、素晴らしく且つ独立した複数の機能を制御させることを可能とする。さらには、本発明は、単純な運動を利用し（圧力調節バルブ１８及び支持体２６の単純な並行移動、制御部２８の単純な回転運動）、らせん状の運動（ネジ巻き／ネジ抜き運動）を例に挙げることができる、複雑で且つ故障を生んで責任を負うようないかなる運動も不要である。加えて、各図に示した機器１は、一連の設計の段階が最小限化されている部分からなる配置を利用しており、それによって、頑強な構成に貢献している。一連の段階のための基準とベアリングポイントの各々は、実質的にバルブ１８のＹ−Ｙ’軸上に存在しているから、精度の不正確さを最小限化することができる。
【産業上の利用可能性】
【００８９】
本発明は、圧力調理器の設計及び製造に適用される。
【図面の簡単な説明】
【００９０】
【図１】本発明の調理機器を示す全体分解斜視図である。
【図２】図１に示す機器の蓋を示す概略斜視図である。
【図３】上から順に、本機器の設定調節バルブを内蔵すると共に図２に示す蓋にはめ込むように設計され且つ取り外し可能に取り付けられた制御モジュールの底部、側面、上部を示す３つの図である。
【図４】図２に示す蓋にはめ込まれたときの図３のモジュールの形態の詳細を示す部分断面図である。
【図５】上記各図に示すモジュールの内部の形態の詳細を示す斜視図である。
【図６】図４に示す形態の詳細断面図であって、圧力調節バルブが第１設定レベルにあるときの図である。
【図７】図６に示す形態の詳細断面図であって、圧力調節バルブが第１設定レベルよりも大きい第２の設定例ベルにあるときの図である。
【図８】図６及び図７に示す形態の詳細断面図であって、圧力調節バルブが、筐体を減圧するために、筐体内の減圧を制御するための部材の動きの下で貫通孔を開放しているときの図である。
【符号の説明】
【００９１】
１  機器
２  容器
２Ａ  熱伝導性の底部
２Ｂ、２Ｃ  ハンドル
３  蓋
３Ａ  内部面
３Ｂ  外部面
４  開閉手段（あご部）
５  制御モジュール
６  ネジ軸
７  ホール
８  保持ナット
９、１０  制御ボタン
１１  取り外しタイマー
１２  安全バルブ
１３  スライドフィンガー
１４  導管
１５  チャンバー
１５Ａ  環状のパッキング
１６  排気管
１７  貫通孔
１８  圧力調節バルブ
１９  頭部
１９Ａ  パッキング
２０  尾部
２０Ａ  力伝達手段
２１Ａ  第１肩部
２１  バルブ軸
２２  井戸
２３  弾力性部材
２４  バネ
２５  設定調節手段
２６  スライド可能な支持台、キャップ
２７  減圧制御部材
２８  第１回転部、第２回転部
２８Ａ  第１面
２８Ｂ  第２面
２９  第１傾斜路
２９Ａ  傾斜
２９Ｂ  平面
３０  パッキング
３２  設定調節部材
３３  第２傾斜路
３３Ａ  傾斜
３３Ｂ  平面
３４  開口（ホール）
３５  第１拡大部
３６  第２拡大部
３７  回転セレクター
３７Ａ  ハンドル
３７Ｂ  ピン
３８  ソケット
３９、４０、４１  マーカー
【図１】
2009533116.tif 000003
【図２】
2009533116.tif 000004
【図３】
2009533116.tif 000005
【図４】
2009533116.tif 000006
【図５】
2009533116.tif 000007
【図６】
2009533116.tif 000008
【図７】
2009533116.tif 000009
【図８】
2009533116.tif 000010
【国際調査報告】
2009533116.tif 000011
2009533116.tif 000012
2009533116.tif 000013
2009533116.tif 000014